(57)【要約】【課題】写真プリント装置において、セットアップ作業を安定的且つ迅速に実行できるようにする。【解決手段】入力された画像データを、写真感光材料ＰＳ上で所望の発色が得られるように設定変換条件にて変換する画像データ変換手段ＤＴと、テストプリント用の画像データにてテストプリントを作製させると共に、そのテストプリントの測定値と調整目標値との偏差に基づいて画像データ変換手段ＤＴにおける前記設定変換条件を変更調整する露光管理手段ＥＭとが設けられた写真プリント装置において、露光管理手段ＥＭは、前記テストプリントの作製による前記設定変換条件の変更調整作業において、調整対象の写真感光材料と類似の発色特性を有する写真感光材料についての前記設定変換条件の調整結果を、前記設定変換条件の初期値として設定してテストプリントを作製させるように構成されている。【選択図】図１
2006126257.tif 000002
【特許請求の範囲】
【請求項１】
入力された画像データを、写真感光材料上で所望の発色が得られるように写真感光材料の発色特性に適合した画像情報に設定変換条件にて変換する画像データ変換手段と、
前記画像データ変換手段にて変換された画像情報に基づいて写真感光材料に画像を露光形成する露光ヘッドと、
テストプリントの濃度又は色を測定するための測定装置と、
テストプリント用の画像データにてテストプリントを作製させると共に、そのテストプリントを前記測定装置にて測定した測定値と調整目標値との偏差に基づいて前記画像データ変換手段における前記設定変換条件を変更調整する露光管理手段とが設けられた写真プリント装置であって、
前記露光管理手段は、前記テストプリントの作製による前記設定変換条件の変更調整作業において、調整対象の写真感光材料と類似の発色特性を有する写真感光材料についての前記設定変換条件の調整結果を、前記設定変換条件の初期値として設定してテストプリントを作製させるように構成されている写真プリント装置。
【請求項２】
前記露光管理手段は、複数種類の写真感光材料を発色特性が類似する写真感光材料毎に予めグループ分けした状態で、前記テストプリントの作製による前記設定変換条件の変更調整作業において、同一グループ内の写真感光材料についての前記設定変換条件の調整結果を前記設定変換条件の初期値として設定するように構成されている請求項１記載の写真プリント装置。
【請求項３】
前記露光管理手段は、写真感光材料の製造メーカー単位で前記グループ分けをするように構成されている請求項２記載の写真プリント装置。
【請求項４】
入力された画像データを、写真感光材料上で所望の発色が得られるように写真感光材料の発色特性に適合した画像情報に設定変換条件にて変換する画像データ変換手段と、前記画像データ変換手段にて変換された画像情報に基づいて写真感光材料に画像を露光形成する露光ヘッドとを備えた写真プリント装置において、テストプリント用の画像データにてテストプリントを作製させると共に、そのテストプリントの濃度又は色の測定値と調整目標値との偏差に基づいて前記画像データ変換手段における前記設定変換条件を変更調整する写真プリント装置用の露光条件調整方法であって、
前記テストプリントの作製による前記設定変換条件の変更調整作業において、調整対象の写真感光材料と類似の発色特性を有する写真感光材料についての前記設定変換条件の調整結果を、前記設定変換条件の初期値として設定してテストプリントを作製する写真プリント装置用の露光条件調整方法。
【発明の詳細な説明】
【技術分野】
【０００１】
本発明は、入力された画像データを、写真感光材料上で所望の発色が得られるように写真感光材料の発色特性に適合した画像情報に設定変換条件にて変換する画像データ変換手段と、前記画像データ変換手段にて変換された画像情報に基づいて写真感光材料に画像を露光形成する露光ヘッドと、テストプリントの濃度又は色を測定するための測定装置と、テストプリント用の画像データにてテストプリントを作製させると共に、そのテストプリントを前記測定装置にて測定した測定値と調整目標値との偏差に基づいて前記画像データ変換手段における前記設定変換条件を変更調整する露光管理手段とが設けられた写真プリント装置と、その写真プリント装置用の露光条件調整方法に関する。
【背景技術】
【０００２】
かかる写真プリント装置では、露光量に対する発色特性が異なる複数種類の写真感光材料を利用してプリントできるように構成することで、複数の製造メーカーから発色特性の異なる複数種類の写真感光材料が供給されるような状況下でも、それらの写真感光材料に対して極力柔軟に対応できるようにしている。
このように取り扱う写真感光材料の発色特性が種々に異なる場合でも、最終的に写真感光材料上に形成される画像の濃度が所望の濃度となるように、入力された画像データを写真感光材料の発色特性を考慮した画像情報に変換して露光ヘッドを駆動する。
従って、写真プリント装置は、取り扱う写真感光材料の発色特性が種々に異なっても所望通りの高品質なプリント画像を得るために、上記の画像データの変換処理の処理条件すなわち前記設定変換条件を写真感光材料毎に適切に調整する必要がある。
この調整作業は、下記特許文献１にも記載されているようなセットアップ作業として行われる。
このセットアップ作業では、通常、テストプリント上の濃度が調整目標値に十分に近づくまで、前記設定変換条件を適宜に変更しながらテストプリントの作製を繰り返す作業を行う。
このテストプリントを繰り返し作製する際の前記設定変換条件の初期値は、従来、発色特性の異なる複数種類の写真感光材料で調整作業が安定して進行するように、使用を想定している複数種類の写真感光材料の平均的な値に設定され、その平均的な値を始点として調整作業を行って、各写真感光材料にとって最適の前記設定変換条件を求める、という作業方法を採っていた。
【特許文献１】特開２０００−２６７２０７号公報
【発明の開示】
【発明が解決しようとする課題】
【０００３】
しかしながら、上記従来構成では、使用を想定している複数種類の写真感光材料のセットアップ作業を安定的に実行できるものの、テストプリント作製の繰り返し回数が多くなってしまう場合がある。
１回のテストプリントの作製には、テストプリント用画像を露光形成した写真感光材料の現像時間等も必要となるため、ある程度の時間を要し、そのテストプリント作製の繰り返し回数が多くなってしまうとセットアップ作業に長時間を要してしまうことになる。
本発明は、かかる実情に鑑みてなされたものであって、その目的は、セットアップ作業を安定的且つ迅速に実行できるようにする点にある。
【課題を解決するための手段】
【０００４】
本出願の第１の発明は、入力された画像データを、写真感光材料上で所望の発色が得られるように写真感光材料の発色特性に適合した画像情報に設定変換条件にて変換する画像データ変換手段と、前記画像データ変換手段にて変換された画像情報に基づいて写真感光材料に画像を露光形成する露光ヘッドと、テストプリントの濃度又は色を測定するための測定装置と、テストプリント用の画像データにてテストプリントを作製させると共に、そのテストプリントを前記測定装置にて測定した測定値と調整目標値との偏差に基づいて前記画像データ変換手段における前記設定変換条件を変更調整する露光管理手段とが設けられた写真プリント装置において、前記露光管理手段は、前記テストプリントの作製による前記設定変換条件の変更調整作業において、調整対象の写真感光材料と類似の発色特性を有する写真感光材料についての前記設定変換条件の調整結果を、前記設定変換条件の初期値として設定してテストプリントを作製させるように構成されている。
【０００５】
すなわち、ある写真感光材料についてテストプリントを作製してセットアップ作業を行う際に、その調整対象の写真感光材料と類似の発色特性を有する写真感光材料についてセットアップ作業を以前に行っている場合は、その過去のセットアップ作業での調整結果を利用して、前記設定変換条件の初期値としてセットアップ作業を開始する。
これによって、セットアップ作業における前記設定変換条件の開始時の設定値と調整結果とがより近いものとなる。
セットアップ作業において前記設定変換条件を変更して行く作業では、テストプリントの濃度又は色の測定値と調整目標値との偏差から前記設定変換条件の変更量を求めることができるが、その変更量は種々の要因で誤差を含み、その誤差は測定値と調整目標値との偏差が大きいほど大きくなる。
従って、セットアップ作業における前記設定変換条件の開始時の設定値と調整結果とがより近いほど、前記設定変換条件の変更量に含まれる誤差も小さくなるため、調整目標へ迅速に収斂してテストプリントの作製回数を少なくすることができる。
【０００６】
又、本出願の第２の発明は、上記第１の発明の構成に加えて、前記露光管理手段は、複数種類の写真感光材料を発色特性が類似する写真感光材料毎に予めグループ分けした状態で、前記テストプリントの作製による前記設定変換条件の変更調整作業において、同一グループ内の写真感光材料についての前記設定変換条件の調整結果を前記設定変換条件の初期値として設定するように構成されている。
従って、ある写真感光材料についてセットアップ作業を行う際に、その写真感光材料と同じグループに属する他の写真感光材料でセットアップ作業を過去に完了して前記設定変換条件についての調整結果が存在すれば、その調整結果を初期値としてセットアップ作業を開始できる。
【０００７】
又、本出願の第３の発明は、上記第２の発明の構成に加えて、前記露光管理手段は、写真感光材料の製造メーカー単位で前記グループ分けをするように構成されている。
すなわち、本発明の発明者の実験によれば、製造メーカーが同じであれば、写真感光材料の種類が異なっても発色特性が類似する傾向が強く、逆に、製造メーカーが異なれば発色特性が大きく異なる傾向を有することを確認した。
そこで、発色特性の類否のグループ分けを、その写真感光材料の製造メーカーが何れであるかによって簡易的に行うこととしたのである。
【０００８】
又、本出願の第４の発明は、入力された画像データを、写真感光材料上で所望の発色が得られるように写真感光材料の発色特性に適合した画像情報に設定変換条件にて変換する画像データ変換手段と、前記画像データ変換手段にて変換された画像情報に基づいて写真感光材料に画像を露光形成する露光ヘッドとを備えた写真プリント装置で、テストプリント用の画像データにてテストプリントを作製させると共に、そのテストプリントの濃度又は色の測定値と調整目標値との偏差に基づいて前記画像データ変換手段における前記設定変換条件を変更調整する写真プリント装置用の露光条件調整方法において、前記テストプリントの作製による前記設定変換条件の変更調整作業で、調整対象の写真感光材料と類似の発色特性を有する写真感光材料についての前記設定変換条件の調整結果を、前記設定変換条件の初期値として設定してテストプリントを作製する。
【０００９】
すなわち、前記設定変換条件を適正値に調整するためのセットアップ作業における前記設定変換条件の開始時の設定値と調整結果とがより近いほど、前記設定変換条件の変更量に含まれる誤差も小さくなり、調整目標へ迅速に収斂することから、調整対象の写真感光材料と類似の発色特性を有する写真感光材料についてのセットアップ作業での調整結果を利用して、前記設定変換条件の初期値としてセットアップ作業を開始することによって、テストプリントの作製回数を少なくすることができる。
【発明の効果】
【００１０】
上記第１の発明によれば、前記設定変換条件を適正値に調整するためのセットアップ作業におけるテストプリントの作製回数を少なくすることが可能となり、セットアップ作業を安定的且つ迅速に行えるものとなった。
又、上記第２の発明によれば、同じグループに属する写真感光材料についての調整結果を利用して、セットアップ作業を迅速に行うことができる。
又、上記第３の発明によれば、写真感光材料の発色特性の類否のグループ分けを容易に行うことができる。
又、上記第４の発明によれば、前記設定変換条件を適正値に調整するためのセットアップ作業におけるテストプリントの作製回数を少なくすることが可能となり、セットアップ作業を安定的且つ迅速に行えるものとなった。
【発明を実施するための最良の形態】
【００１１】
以下、本発明の写真プリント装置の実施の形態を図面に基づいて説明する。
本実施の形態で例示する写真プリント装置ＤＰは、いわゆるデジタルミニラボと称されるシステムを構成するものであり、図２の概略構成図に示すように、写真フィルムやメモリーカード等から画像を取込む画像入力装置ＩＲと、画像入力装置ＩＲにて取込んだ画像に基づいて写真感光材料ＰＳとしての印画紙２に画像を露光形成する画像露光装置ＥＰとから構成されている。
【００１２】
〔画像入力装置ＩＲの概略構成〕
画像入力装置ＩＲには、写真フィルムの駒画像を読取ってデジタル画像データとして出力するフィルムスキャナ３と、メモリーカードリーダ／ライタや読み書き可能型の光学ドライブ等を備えて各種の記録媒体からの画像データの取込みや書込みを行う外部入出力装置４と、露光条件を設定するために作製したテストプリントの色又は濃度を測定する測定装置である測色装置５と、これら各部を制御すると共に写真プリント装置ＤＰ全体の動作を管理する主制御装置６とが備えられ、主制御装置６には、仕上がりプリントをシミュレートしたシミュレート画像や各種の設定情報等を表示するためのモニタ６ａと、各種の設定情報を入力操作するための操作卓６ｂとが接続されている。
【００１３】
〔画像露光装置ＥＰの全体構成〕
画像露光装置ＥＰには、図２に示すように、筐体内部に、印画紙２に画像を露光形成する露光ヘッド１１と、露光ヘッド１１を駆動制御する露光制御装置１２と、露光ヘッド１１にて露光された印画紙２を現像処理する現像処理装置１３と、印画紙２をロール状に収納する印画紙マガジン１４から引き出された印画紙２を露光ヘッド１１による画像形成位置を経由して現像処理装置１３へ搬送するために多数の搬送ローラ２１ａ，２１ｂ，２１ｃ，２１ｄ等を備えて構成される印画紙搬送系ＰＴとが備えられ、印画紙搬送系ＰＴによる印画紙２の搬送経路における露光ヘッド１１の画像形成位置よりも搬送方向上流側には、長尺の印画紙２を設定プリントサイズに切断するためのカッタ２３と、設定プリントサイズに切断された印画紙２を複数の搬送列に振分けるための振分け装置２４とが配置されている。
図示を省略するが、画像露光装置ＥＰの筐体外部には、現像処理装置１３にて現像された印画紙２をオーダ毎にまとめて一時的に保存するためのソータが備えられ、現像処理装置１３にて現像処理及び乾燥処理された印画紙２は、そのソータへ印画紙２を搬送するコンベア２５上に排出される。
【００１４】
〔露光ヘッド１１の構成〕
露光ヘッド１１は、複数色（具体的には、赤色，緑色及び青色）の独立したレーザ光源を備えて、それらのレーザ光源から出射されるレーザビームＬＢを走査して印画紙２上に画像を露光形成するいわゆるレーザビーム露光式を採用しており、その概略構成を図１のブロック構成図に示す。
露光ヘッド１１には、赤色，緑色及び青色のレーザビームＬＢを夫々出射する赤色レーザ光源３０ｒ，緑色レーザ光源３０ｇ及び青色レーザ光源３０ｂと、各レーザ光源３０ｒ，３０ｇ，３０ｂの出射光を強度変調するための音響光学変調素子３１（以下、「ＡＯＭ素子３１」と略称する）と、レーザビームＬＢの光路を屈曲させるミラー３２と、球面レンズ３３と、シリンドリカルレンズ３４と、ポリゴンミラー３５と、ポリゴンミラー３５を回転駆動するモータ３５ａと、ｆ−θ特性と面倒れ補正機能とを有するレンズ群３６とが備えられている。露光ヘッド１１は、レーザビームＬＢの走査方向（主走査方向）が印画紙２の搬送方向（副走査方向）と直交する方向となるように配置されている。
【００１５】
〔露光制御装置１２の構成〕
露光制御装置１２には、図１に概略的に示すように、主制御装置６から入力されるプリント用の画像データを赤色，緑色及び青色の各色毎に記憶する画像データメモリ４２と、画像データメモリ４２の出力データをレーザビームＬＢの光エネルギーに対応するデータに変換するデータ変換装置４１と、赤色，緑色及び青色の各色毎に備えられてデータ変換装置４１の出力データをＤ／Ａ変換するＤ／Ａコンバータ４３と、Ｄ／Ａコンバータ４３からの入力信号に応じた振幅を有する制御信号をＡＯＭ素子３１に出力するＡＯＭ制御回路４４と、Ｄ／Ａコンバータ４３からＡＯＭ制御回路４４に送る信号の切替えタイミングを制御するタイミング制御回路４５とが備えられている。
【００１６】
データ変換装置４１はルックアップテーブルを記憶保持して構成されており、それの出力データは上述のようにレーザビームＬＢの光エネルギーに対応するデータであるが、厳密には、ＡＯＭ素子３１における回折率（いわば、光の透過率）を規定するデータであり、データ変換装置４１は、入力された画像データに対して、印画紙２上で所望の発色が得られる画像データを出力するように設定されている。
従って、データ変換装置４１は、入力された画像データを、印画紙２上で所望の発色が得られるように印画紙２の発色特性に適合した画像情報に変換する画像データ変換手段ＤＴとして機能し、データ変換装置４１に記憶保持されているルックアップテーブルが、その変換のための設定変換条件となっている。
このデータ変換装置４１の記憶保持データ（すなわち、前記設定変換条件）は、使用する印画紙２の種類が変更されると、変更後の印画紙２の発色特性に適合したデータに変更される必要があり、より具体的には、同じ種類の印画紙２であっても製造ロットが異なる場合や、現像処理装置１３の現像処理液の状態が変化したような場合、更には、環境変化によって露光ヘッド１１のレーザビーム光量や印画紙２の発色特性が変化したような場合にもデータを最適に調整することが望ましい。
このため、実際の運用としては、印画紙マガジン１４を交換したときの他、日々の作業開始時等にも、データ変換装置４１の記憶保持データを最適に調整するセットアップ作業を行う。
このセットアップ作業については、詳しくは後述する。
【００１７】
〔プリント動作の概要〕
次に、上記構成の写真プリント装置ＤＰによるプリント動作を概略的に説明する。
フィルムスキャナ３にて写真フィルムの駒画像が読み取られて、その読取り画像データが主制御装置６に入力されるか、あるいは、メモリーカード等の記録媒体に記録された画像データが外部入出力装置４にて読取られて主制御装置６に入力されると、主制御装置６は、その画像データに基づいて写真プリントを作製したときに得られるであろう画像をシミュレート演算により求めてモニタ６ａに表示する。
操作者は、モニタ６ａに表示されたシミュレート画像を観察して、適宜に露光条件の補正入力を操作卓６ｂから行う。
主制御装置６は、操作卓６ｂから補正入力があると、その指示に基づいて露光条件を補正演算して露光用の画像データを生成し、その画像データを露光制御装置１２へ送る。
露光制御装置１２は、受け取った露光用の画像データを画像データメモリ４２へ書込む。
印画紙２の搬送速度及びレーザビームＬＢの走査速度と連動して、タイミング制御回路４５が信号の送出を指示すると、画像データメモリ４２からデータが送り出されて、データ変換装置４１にてデータ変換された後、そのデータがＤ／Ａコンバータ４３にてアナログ信号に変換され、更に、ＡＯＭ制御回路４４にてＡＯＭ素子３１駆動用の信号に変換された後に露光ヘッド１１へ出力される。
これによって、露光ヘッド１１の画像形成位置を搬送される印画紙２に対して、画像が潜像として露光形成される。
露光ヘッド１１にて露光処理された印画紙２は、現像処理装置１３にて現像処理及び乾燥処理されて写真プリントとして仕上げられた後、排出口からコンベア２５上に排出される。
【００１８】
〔テストプリントによる装置調整の概略説明〕
次にテストプリントを作製することによって、データ変換装置４１の記憶保持データ（前記設定変換条件）を最適に調整するセットアップ作業について説明する。
このセットアップ作業は、主制御装置６の制御により実行され、無彩色の２０段階程度の濃度階調パターンを有するテストプリントを作製して、その作製したテストプリントを測色装置５にて測定し、各濃度階調毎に、目標濃度値（調整目標値）と測定濃度値との偏差を求めて、その偏差に応じてデータ変換装置４１の記憶保持データを修正する作業を、テストプリントの各濃度階調の測定濃度値が目標濃度値に十分近い値になるまで繰り返す。
【００１９】
本実施の形態では、このセットアップ作業の開始の際のデータ変換装置４１の記憶保持データの初期値を、調整対象の印画紙２の種類に応じて変更している。
具体的には、複数種類の印画紙２を発色特性が類似する印画紙２毎に予めグループ分けしておき、同一グループ内の印画紙２についてのセットアップ作業完了時のデータ変換装置４１の記憶保持データ（すなわち前記設定変換条件の調整結果）をデータ変換装置４１の記憶保持データの初期値として設定する。
この発色特性が類似する印画紙２のグループ分けは、使用を想定している印画紙２の種類の夫々について、露光量と濃度との関係を詳細に測定し、その測定結果の類似の程度から複数段階に分類することで行えるが、簡易的に、印画紙２の製造メーカー単位でグループ分けしても良い。
【００２０】
印画紙２の製造メーカー単位で発色特性の類否のグループ分けが可能であることを具体的なデータによって示す。
印画紙２の露光量と濃度との関係は、およそ図４に例示するようなものとなる。
図４において、Ｘ軸の「出力階調」はデータ変換装置４１の出力値の対数値を示しており、Ｙ軸の「測定値」は測色装置５の濃度測定値を示している。
図４では、赤色レーザビームに対応する発色であるシアンの濃度測定値、緑色レーザビームに対応する発色であるマゼンタの濃度測定値、及び、青色レーザビームに対応する発色であるイエローの濃度測定値のうちの１色についてのみ図示しているが、他の２色についてもほぼ同様の特性を示す。
複数種類の印画紙２について、図４の「測定値」（Ｙ軸）の値で「０．９」の濃度が印画紙２上で得られるときの各色の露光量を求めたデータを図５に示す。
図５のＹ軸では、印画紙２の製造メーカー「Ｃ社」の「＃１」の印画紙２で「０．９」の濃度値が得られる露光量を基準にして、その基準の露光量に対する比率として、「０．９」の濃度値が得られる露光量を各露光色毎に示している。図５のＸ軸は印画紙２の種類であり、同一メーカー内では「＃１」、「＃２」等として区別している。
図５から明らかなように、「Ａ社」、「Ｂ社」、「Ｃ社」の各製造メーカー間では、発色特性の違いが明確であり、一方、１つの製造メーカー内では類似した発色特性を示している。
これにより、上述のように、発色特性の類否を印画紙２の製造メーカーによって簡易的にグループ分けできるのである。
【００２１】
次に、主制御装置６が実行する図３のフローチャートに基づいて、順を追ってセットアップ作業について説明する。
先ず、印画紙マガジン１４にバーコードやその他形式で記録保持されている調整対象の印画紙２の種類を示す識別コードを読取り（ステップ＃１）、上述の発色特性のグループ分けで調整対象の印画紙２と同じグループに属する印画紙２の種類の中に、過去にセットアップ作業を行い、その調整結果（セットアップ完了時のデータ変換装置４１の記憶保持データ）を主制御装置６のハードディスク装置等に記憶保存しているものが存在するか否かを調べる（ステップ＃２）。
同じグループの印画紙２の調整結果データが存在すれば、そのデータをデータ変換装置４１にセットする（ステップ＃３）。この際、同一種類の印画紙２の調整結果データが存在すれば、それを優先して使用する。
一方、同じグループの印画紙２の調整結果データが存在しないときは、そのような場合に使用すべきデータとして予め設定されているデフォルトのデータをデータ変換装置４１にセットする（ステップ＃４）。このデフォルトのデータは、使用を想定している各種の印画紙２の発色特性の平均的なものに適合するデータとして設定されている。
【００２２】
次に、上記のテストプリント用の画像データをデータ変換装置４１へ入力して、露光ヘッド１１にプリント動作させ、テストプリントを作製させる（ステップ＃５）。
作製したテストプリントを操作者が測色装置５にセットすると自動的にそのテストプリントの測色が行われる。
測色装置５は、赤色レーザビームに対応する発色であるシアンの濃度測定値と、緑色レーザビームに対応する発色であるマゼンタの濃度測定値と、青色レーザビームに対応する発色であるイエローの濃度測定値とを、各濃度階調段階について主制御装置６へ出力する。
【００２３】
このテストプリントの測色結果が測色装置５から主制御装置６へ入力されると（ステップ＃６）、主制御装置６は、各濃度階調段階について、測定濃度値と調整目標値との偏差を求め、その偏差が全て許容範囲内に収まっているか否かを判断する（ステップ＃７）。
許容範囲内に収まっていないとき、主制御装置６は、測色装置５から送られてきた測定値から図４に例示するような特性を求め、測定濃度値と調整目標値との偏差を修正するのに必要な露光量の修正量を求めてデータ変換装置４１の記憶保持データを修正する（ステップ＃８）。
この後、モニタ６ａに再度テストプリントを作製する旨を表示して（ステップ＃９）、テストプリント作製作業を繰り返す（ステップ＃５〜＃７）。
【００２４】
上記の作業の繰り返しにより、各濃度階調段階についての測定濃度値と調整目標値との偏差が全て許容範囲内に収まると（ステップ＃７）、調整対象の印画紙２の種類と同一種類の印画紙２についての調整結果データが記憶保存されていないときは（ステップ＃１０）、その時点のデータ変換装置４１の記憶保持データを主制御装置６のハードディスク装置等に記憶保存し（ステップ＃１１）、セットアップ作業が完了した旨をモニタ６ａに表示して（ステップ＃１２）、処理を終了する。
以上から、主制御装置６は、画像データ変換手段ＤＴであるデータ変換装置４１の前記設定変換条件（ルックアップテーブル）を変更調整する露光管理手段ＥＭとして機能する。
【００２５】
〔別実施形態〕
以下、本発明の別実施形態を列記する。
（１）上記実施の形態では、入力された画像データを写真感光材料ＰＳの発色特性に適合した画像情報に変換する画像データ変換手段ＤＴをデータ変換装置４１のみで構成する場合を例示しているが、例えば、上記実施の形態におけるＤ／Ａコンバータ４３の出力信号を減衰又は増幅するアッテネータ又はアンプを備えて、そのアッテネータ又はアンプの減衰率又は増幅率を外部制御にて調整すると共に、上記実施の形態のデータ変換装置４１の記憶保持データを変更調整することで、写真感光材料ＰＳ上で所望の発色を得るべく調整するように構成しても良い。
この場合、前記アッテネータ又はアンプ、及び、データ変換装置４１が画像データ変換手段ＤＴとして機能し、前記アッテネータ又はアンプの減衰率又は増幅率、及び、データ変換装置４１の記憶保持データが前記設定変換条件に相当し、画像データ変換手段ＤＴは変換された画像情報としてアナログ画像信号を出力する。
【００２６】
（２）上記実施の形態では、画像データ変換手段ＤＴとしてルックアップテーブルによるデータ変換装置４１を採用し、入力画像データを高速に変換処理する場合を例示しているが、前記設定変換条件を関数式化し、高速なプロセッサを用いてソフトウェア処理で画像データを変換するように構成しても良い。
（３）上記実施の形態では、複数種類の写真感光材料ＰＳを発色特性が類似する写真感光材料ＰＳ毎にグループ分けして、同じグループに属するか否かで、前記設定変換条件の調整結果の利用を可能かどうかを判断する場合を例示しているが、複数種類の写真感光材料ＰＳ間で発色特性の類似の程度によって予め順序付けを行っておき、発色特性の近いものから順次に前記設定変換条件の調整結果のデータが存在するか否かを検索して、最初に調整結果のデータが存在したものを、セットアップ作業における前記設定変換条件の初期値として設定するようにしても良い。
（４）上記実施の形態では、露光ヘッド１１をレーザビーム露光式に構成した場合を例示しているが、ＰＬＺＴ光シャッタ方式，蛍光管露光方式あるいはＬＥＤ露光方式等の他の露光形式の露光ヘッドを用いる場合にも本発明を適用できる。
（５）上記実施の形態では、写真感光材料ＰＳとして印画紙２を例示しているが、感光フィルム等の各種の写真感光材料ＰＳの露光に本発明を適用できる。
【図面の簡単な説明】
【００２７】
【図１】本発明の実施の形態にかかる要部ブロック構成図
【図２】本発明の実施の形態にかかる写真プリント装置の概略ブロック構成図
【図３】本発明の実施の形態にかかるフローチャート
【図４】本発明の実施の形態にかかる印画紙の発色特性を示す図
【図５】本発明の実施の形態にかかる各種の印画紙の発色特性の比較を示す図
【符号の説明】
【００２８】
５    測定装置
１１  露光ヘッド
ＤＴ  画像データ変換手段
ＥＭ  露光管理手段
ＰＳ  写真感光材料
【図１】
2006126257.tif 000003
【図２】
2006126257.tif 000004
【図３】
2006126257.tif 000005
【図４】
2006126257.tif 000006
【図５】
2006126257.tif 000007